(57)【要約】【課題】ガスメータボックス５の一次側管路又は他の垂直又は水平管路に介装し、火災時などに作動してガス管を自動的に閉塞する装置を、部品点数が少なく軽量・小型でありながら確実な閉止が行えるようにする。【構成】両端側周面に管接続用のネジ１１、１２が形成されたナット部材１０の一方の端面１３の内周にテーパ受口１４を形成し、端面１３の一部にフランジ１５を突設する。閉止蓋１７の周面をテーパ面１８とし、閉止蓋裏面の二股ヒンジ２０をバネ付勢２４してフランジにピン連結し、半田２５によって開状態に保持する。閉止蓋取付け側端部１３に閉止蓋の作動を確保するためのカバー円筒が連結される。【選択図】        図６
2004156717.tif 000002
【特許請求の範囲】
【請求項１】
両端にネジ部が形成された配管接続用ナット部材と該ナット部材の一方の端面の一部に軸孔付ブラケットが突設されると共に前記端面内周にテーパ受口が形成され、前記テーパ受口に密着するテーパ周面を有する閉止蓋が裏面に連設された二股ヒンジ部を介して前記ブラケットにバネ付勢されてピン連結されると共に前記二股ヒンジ部の端部とナット端面間に半田チップが挿入接着されて常時開状態に保持されてなるガス管自動閉止接続具。
【請求項２】
ヒンジ部がピン又はブラケットと半田接合されて閉止蓋が常時開状態に保持されてなる請求項１記載のガス管自動閉止接続具。
【請求項３】
閉止蓋が取付けられたナット端部に前記閉止蓋の作動空間を確保するカバー円筒が連結されてなる請求項１又は２記載のガス管自動閉止接続具。
【発明の詳細な説明】
【０００１】
【分野】
この発明は、火災時の温度を感知してガス管を自動的に閉止するガス配管用接続具に関する。
【０００２】
【従来技術】
火災時の熱を感知して回動式栓体を自動閉栓する装置は、特許２７８４６２４その他によって公知であるが、この装置は、外部操作ができるようにしたもので、構造が複雑で手動コックと同程度の重量がある上、組付けに手間が掛り高価になる。
【０００３】
この他、本発明者は軽量化とコストの低減を目的として、ガス管内に挿入されるホルダー付皿状保持体に一対の半月形回動板を直径方向の枢軸に蝶番連結した自動閉止装置やバタフライ弁型の自動閉止装置を提案した（特許文献１参照）。これらの装置は、実用上必要な閉塞性を備えているが、部品の調整に手間を要する他、そもそも完全な閉塞を得ようとするものではない。
【０００４】
【特許文献１】
特願２００２−３０９５６２（図２乃至図１０）
【０００５】
【課題】
本発明は、構造が簡単でありながらガスの閉止が確実に行える簡易小型で軽量な感熱自動閉止手段付接続具を提供するものであって、ガス閉止手段をガス配管接続具自体に備え、ガスメータボックスの元管などの垂直部又は水平部の継手として使用できる新規な接続具を提供するものである。
【０００６】
【解決手段】
本発明に係る接続具は、一定温度で作動する閉止蓋をナット部材の一方の端面にヒンジ連結して構成されるもので、両端側周面に管接続用のネジが形成されたナット部材の一方の端面内周にテーパ受口を形成し、該端面の一部にフランジを突設すると共に閉止蓋周面をテーパ面とし、裏面に連接した二股ヒンジを前記フランジとピン連結し、前記閉止蓋を閉止側にバネ付勢すると共に半田によって開状態に保持してなるものであり、閉止蓋取付け側端部に閉止蓋の作動を確保するためのカバー円筒が連結される。
【０００７】
閉止蓋を開状態に保持し温度上昇を検知して作動する手段として半田付によってヒンジ部を固定することもできるが、閉止蓋の作動温度を均一にするため形状・大きさが一定のチップ状とすることが好ましい。このため半田は、例えば７５±５℃の低融点合金チップをバネの閉止力に抵抗するようにヒンジ部の適宜箇所に挟み込んで接着固定する。
【０００８】
【実施の形態】
１０はナット部材であって、その両端周面に配管接続用のネジ１１、１２が形成されている。ネジ１１は、カバー円筒３０を接続する平行ネジであり、１２は配管接続用のテーパネジである。
１３は取付け端面、１４は内周面に形成したテーパ受口、１５は端面に突設した直立ブラケット、１６は連結ピンを固定する軸孔であって内面に雌ネジが切られている。１０Ａはガス通路である。
１７は円形の閉止蓋であり、その周面はテーパ受に密着するようにテーパ面１８が形成されている。２０は、蓋の裏面１９に固設した二股ヒンジ部、２１はピン挿通孔、２２は、二股ヒンジ部とブラケットを連結するピンであって、中間に固定用ネジ２３が設けられている。
ナット部と閉止蓋は、鉄や銅合金の鋳造或は鍛造品で製作する。
２４は蓋板に常時閉止回動力を付勢するためのステンレス製コイルバネであって図では一本の線材を対称的に形成している。
【０００９】
２５は半田チップであって、二股ヒンジ部の端部とナットの取付端面１３間に差込まれて図示しない接着剤などで固定され、常時は閉止蓋１７を開状態に保持し、温度上昇の検知とバネと共に閉止手段となる。
３０は、閉止蓋１７の開状態と回動を確保するための作動室３１を備えたカバー円筒であって、両端に連結部３２、３３が設けられている。
ナット部材１０のテーパ受口側のネジ１１に螺着される連結部３２は、ナット部材の段部１０Ｂに当接する。
【００１０】
（組付け）
ヒンジ部とバネのコイル部を合せてピン２２を通し、ピン軸中間のネジ２３をブラケットの軸孔の雌ネジに螺合させて固定する。この際、バネの両端２４ａを蓋板裏面から外側に外してガス通路１０Ａ内におき、ピン軸を固定した後、
両端を蓋板裏面に当接させてバネ付勢する。
２２ａは位置規制用の膨大軸部である。
【００１１】
（作動）
閉止蓋１７は、常時は図２、図３の状態にあって、ガスの通過を許容している。
この状態でガス管の周囲温度が８０℃以上に上昇するとチップ２５が溶融して閉止蓋の掛止機能がなくなるため閉止蓋１７は、ばね力によって回動して図４、図５のようにテーパ周面１８がテーパ受口１４に密着してガス通路１０Ａを閉塞する。
蓋の背面（一次側）にはガス供給圧が存在するから蓋板は密着密着方向に作用して安全が確保される。
【００１２】
本発明装置は、図１のようにガスメータボックスの一次側に適用するのが一般であり、この場合の接続具は図８のようになる。
１は元管、２は元栓、３はエルボなどによる曲り部、４は接続具であって、メータボックス５の図示しないメータ口金にユニオンナット６によって連結される。
【００１３】
【効果】
本発明接続具は、構造簡単であるが、一旦閉止するとテーパの作用で閉止蓋が受口面に密着し、しかも背面側からガス圧が作用しているからガス通路を確実に遮断できる。
この接続具は、直立管の他、例えばブラケット側を上方にして水平管でも使用できる。
【図面の簡単な説明】
【図１】本発明装置を効果的に適用できるメータボックス周りの正面図
【図２】蓋板開状態の縦断側面図
【図３】同横断平面図
【図４】閉止状態の縦断側面図
【図５】同横断平面図
【図６】開状態の蓋板正面図
【図７】ピン軸の側面図
【図８】ガスメータボックスの口金に取り付ける接続具の縦断側面図
【符号の説明】
１０  ナット部材
１１、１２  ネジ
１３  ナット端面
１４  テーパ受口
１５  ブラケット
１６  軸孔
１７  閉止蓋
１８  テーパ面
１９  裏面
２０  二股ヒンジ部
２１  ピン孔
２２  連結ピン
２３  ネジ部
２４  コイルバネ
２５  半田チップ
３０  カバー円筒
３１  作動室
３２、３３  螺合連結部
【図１】
2004156717.tif 000003
【図２】
2004156717.tif 000004
【図３】
2004156717.tif 000005
【図４】
2004156717.tif 000006
【図５】
2004156717.tif 000007
【図６】
2004156717.tif 000008
【図７】
2004156717.tif 000009
【図８】
2004156717.tif 000010
【手続補正書】
【提出日】平成15年1月24日(2003.1.24)
【手続補正１】
【補正対象書類名】明細書
【補正対象項目名】０００２
【補正方法】変更
【補正の内容】
【０００２】
【従来技術】
火災時の熱を感知して回動式栓体を自動閉栓する装置は、特許２７８４６２４（特許文献１参照）によって公知であるが、この装置は、閉栓作動後に外部操作ができるようにしたもので、構造が複雑で手動コックと同程度の重量がある上、組付けに手間が掛り高価になる。


【手続補正２】
【補正対象書類名】明細書
【補正対象項目名】０００３
【補正方法】変更
【補正の内容】
【０００３】
この欠点を改善するため、本発明者は軽量化とコストの低減を目的として、ガス管内に挿入されるホルダー付皿状保持体に一対の半月形回動板を直径方向の枢軸に蝶番連結した自動閉止装置やバタフライ弁型の自動閉止装置を提案した（特願２００２−３０９５６２）。
これらの装置は、実用上必要な閉塞性を備えているが、部品の調整に手間を要する他、そもそも完全な閉塞を得ようとするものではない。


【手続補正３】
【補正対象書類名】明細書
【補正対象項目名】０００４
【補正方法】変更
【補正の内容】
【０００４】
【特許文献１】
特許第２７８４６２４号公報